(57)【要約】  光システムは、光信号を送受信する光モジュールと、前記光モジュールと光接続する光スイッチと、前記光スイッチと光接続する複数の光コネクタとを備える。前記光スイッチは、前記光モジュールに前記複数の光コネクタのうち少なくとも一つを選択的に接続する。
2013172072.tif 000002
【特許請求の範囲】
【請求項１】
光信号を送受信する光モジュールと、
前記光モジュールと光接続する光スイッチと、
前記光スイッチと光接続する複数の光コネクタと、を備え、
前記光スイッチは、前記光モジュールに前記複数の光コネクタのうち少なくとも一つを選択的に接続する
光システム。
【請求項２】
前記光モジュールの光学特性を収集し、前記光学特性の情報を出力するモニタ収集回路と、
前記モニタ収集回路からの前記情報に基づいて前記光スイッチによる前記光モジュールと前記複数の光コネクタとの接続を切り換える監視装置と
をさらに備える請求項１に記載の光システム。
【請求項３】
前記モニタ収集回路を含む複数のモニタ収集回路をさらに備え、
前記監視装置が、前記複数のモニタ収集回路からの情報の差に基づいて前記光スイッチによる前記光モジュールと前記複数の光コネクタとの接続を切り換える
請求項２に記載の光システム。
【請求項４】
前記光モジュール、前記光スイッチおよび前記複数の光コネクタを備える光装置をさらに備え、
前記光コネクタおよび前記光スイッチが前記光装置に着脱自在に取り付けられる
請求項１から３のいずれか一項に記載の光システム。
【請求項５】
前記光スイッチの駆動を制御する光スイッチ制御回路
をさらに備える請求項４に記載の光システム。
【請求項６】
前記光装置が、前記光モジュールを含む複数の光モジュール
をさらに備える請求項４又は５に記載の光システム。
【請求項７】
前記光スイッチの前記光コネクタの側に設けられた光検出器
をさらに備える請求項１から６のいずれか一項に記載の光システム。
【請求項８】
光信号を送受信する光モジュールと、
前記光モジュールと光接続する光スイッチと、
前記光スイッチと光接続する前記光スイッチと光接続する複数の光コネクタと、を備え、
前記光スイッチは、前記光モジュールに前記複数の光コネクタのうち少なくとも一つを選択的に接続する
光装置。
【請求項９】
光信号を送受信する光モジュールに、複数の光コネクタのうち少なくとも一つを選択的に光接続することを含む光接続方法。
【発明の詳細な説明】
【技術分野】
【０００１】
本発明は、光ファイバ同士を光学的に接続する光コネクタを装備する光システム、光装置及び光接続方法に関する。
【背景技術】
【０００２】
光システム、光装置及び光接続方法の一例が特許文献１に記載されている。特許文献１の光システム、光装置及び光接続方法は、一対の光コネクタ間に着脱可能に割り入れ接続する光コネクタアダプタを備えている。
【先行技術文献】
【特許文献】
【０００３】
【特許文献１】日本国特開２００４−６９８２１号公報
【発明の概要】
【発明が解決しようとする課題】
【０００４】
近年、光コネクタを介して接続する光装置を装備する光システムにおいては、作業中などに何らかの原因で光コネクタにゴミが付着すると、光コネクタが損傷する可能性がある。この可能性を高める要因として、光装置内の光モジュール（例えば、光アンプモジュール）等の出力レベルの増大がある。また、同じ光装置内に複数の光モジュールを備えることも増えてきていることから、光装置内の光コネクタが損傷するケースが今後より多くなると推測される。【０００５】
光ファイバ同士を光学的に接続する光コネクタを装備するシステム、光装置及び光接続方法として、図６に示すように、第１の光装置５０１（単に、光装置５０１とも称する）と第２の光装置５０２（単に、光装置５０２とも称する）とを光コネクタで接続した光システム５００がある。第１の光装置５０１は、光モジュール５０３を備える。光モジュール５０３は、モニタ収集回路５０４を備える。光モジュール５０３は、光ファイバ５０５を通じて光コネクタ５０６と光接続している。第２の光装置５０２は、光モジュール５０７を備える。光モジュール５０７は、モニタ収集回路５０８を備える。監視装置５０９は、各モニタ収集回路５０４、５０８に接続している。光ファイバ５１０の一方の光コネクタ５１１は、不図示の光アダプタを介して光コネクタ５０６に光接続している。光ファイバ５１０の他方の光コネクタ５１２は、第２の光装置５０２の光モジュール５０７の光ファイバ５１３に光接続している。このような光システム５００においては、光コネクタ５０６を、ごみ等の付着物がついたまま、光アダプタを介して光コネクタ５１１に光接続すると、接続損失が過大になったり、反射特性が出なくなったりして損傷することがある。その場合、このような光システム５００においては、損傷した第１の光装置５０１を製造工場に持ち込む必要がある。さらに、製造工場において光装置５０１に備えられた光モジュール５０３を取り外して再スプライス等を実施する必要がある。従って、このようなシステム５００では、光コネクタ５０６が損傷した場合に、作業を中断することになって作業効率の低下を招き、多くの手間や費用を無駄にすることになる。【０００６】
特許文献１は、上述した光システム５００の問題を解決する方法を提案している。
図７に示すように、特許文献１に記載の光システム６００は、第１の光装置６０１（単に、光装置６０１とも称する）と、第２の光装置６０２（単に、光装置６０２とも称する）とを備える。第１の光装置６０１は、光モジュール６０３を備える。光モジュール６０３は、モニタ収集回路６０４を備える。光モジュール６０３は、光ファイバ６０５を通じて光コネクタ６０６と接続している。第２の光装置６０２は、光モジュール６０７を備える。光モジュール６０７は、モニタ収集回路６０８を備える。監視装置６０９は、各モニタ収集回路６０４、６０８と接続している。第１の光装置６０１においては、光コネクタ６０６は、光コネクタアダプタ６１０の光コネクタ６１１と光接続する。この光コネクタアダプタ６１０の光コネクタ６１２は、光ファイバ６１３に光接続した光コネクタ６１４と光接続している。また、光ファイバ６１３に光接続した光コネクタ６１５は、第２の光装置６０２の光モジュール６０７の光ファイバ６１６に光接続している。この構成により、特許文献１に記載の光システム６００では、第１の光装置６０１の光コネクタ６１２が損傷した場合、光コネクタアダプタ６１０の光コネクタ６１２と光コネクタ６１１とを取り外し、光コネクタ６０６を光コネクタ６１４に直接接続する。特許文献１に記載の光システム６００は、上述した光システム５００のように、光装置５０１の光モジュール５０３を取り外して、製造工場に持ち込むような手間や費用を省略できる。しかしながら、光システム６００では、光コネクタ６０６を光コネクタ６１４に直接接続して作業を行っている際に光コネクタ６０６が損傷した場合、光モジュール６０３を製造工場に持ち込まなくてはならない。従って、特許文献１に記載された光システム６００の構成は、光コネクタが一回損傷した場合にしか対処できない。すなわち、光コネクタが複数回損傷した場合に対処することができない。【０００７】
本発明は、前述した課題を解決するためになされた。本発明の目的の一例は、複数回の光コネクタ損傷に対処できることにより生産性を飛躍的に向上できる光システム、光装置及び光接続方法を提供することにある。
【課題を解決するための手段】
【０００８】
本発明の実施態様に係る光システムは、光信号を送受信する光モジュールと、前記光モジュールと光接続する光スイッチと、前記光スイッチと光接続する複数の光コネクタとを備える。前記光スイッチは、前記光モジュールに前記複数の光コネクタのうち少なくとも一つを選択的に接続する。【０００９】
本発明の実施態様に係る光装置は、光信号を送受信する光モジュールと、前記光モジュールと光接続する光スイッチと、前記光スイッチと光接続する前記光スイッチと光接続する複数の光コネクタとを備える。前記光スイッチは、前記光モジュールに前記複数の光コネクタのうち少なくとも一つを選択的に接続する。【００１０】
本発明の実施態様に係る光接続方法は、光信号を送受信する光モジュールに、複数の光コネクタのうち少なくとも一つを選択的に光接続することを含む。
【発明の効果】
【００１１】
本発明に係る光システム、光装置及び光接続方法によれば、複数回の光コネクタ損傷に対処できることにより生産性を飛躍的に向上できる。
【図面の簡単な説明】
【００１２】
【図１】本発明の第１実施形態の光システムのブロック構成図である。
【図２】本発明の第２実施形態の光システムのブロック構成図である。
【図３】本発明の第３実施形態の光システムのブロック構成図である。
【図４】本発明の第４実施形態の光システムのブロック構成図である。
【図５】図４に示した光システムの制御動作を説明するフローチャートである。
【図６】関連する光システムのブロック構成図である。
【図７】特許文献１に記載の光システムのブロック構成図である。
【発明を実施するための形態】
【００１３】
以下、本発明の複数の実施形態に係る光システム、光装置及び光接続方法について図面を参照して説明する。図１に示すように、本発明の第１実施形態の光システム１０は、光装置１１と、光装置１２と、光ケーブル１３と、監視装置１７とを備えている。光ケーブル１３は、光ファイバ１４と、光ファイバ１４の一端部に光接続した光コネクタ１５と、光ファイバ１４の他端部に光接続した光コネクタ１６とを有する。
【００１４】
光装置１１は、光モジュール１８と、光スイッチ２０と、光スイッチ制御回路２１と、光ケーブル２２とを備えている。光モジュール１８は、モニタ収集回路１９を内蔵する。光ケーブル２２は、光ファイバ２３と、光ファイバ２３の一端部に光接続した光コネクタ２４とを有する。
また、光装置１１は、光ケーブル２５と、光ケーブル２８とを備えている。光ケーブル２５は、光ファイバ２６と、光ファイバ２６の一端部に光接続した光コネクタ２７を有する。光ケーブル２８は、光ファイバ２９と、光ファイバ２９の一端部に光接続した光コネクタ３０と、光ファイバ２９の他端部に光接続した光コネクタ３１とを有する。
また、光装置１１は、光ケーブル３２を備えている。光ケーブル３２は、光ファイバ３３と、光ファイバ３３の一端部に光接続した光コネクタ３４と、光ファイバ３３の他端部に光接続した光コネクタ３５とを有する。
【００１５】
光装置１２は、モニタ収集回路３７を有する光モジュール３６を備えている。光ファイバ３８は、光モジュール３６に光接続している。光ファイバ３８の端部は、光コネクタ１６に光接続している。
【００１６】
光ファイバ３９は、光モジュール１８に光接続している。光ファイバ３９は、光スイッチ２０のポート４０に光接続している。光スイッチ２０のポート４１は、光ケーブル２２の光ファイバ２３に光接続している。光スイッチ２０のポート４２は、光ケーブル２５の光ファイバ２６に光接続している。
【００１７】
光スイッチ２０は、ポート４０を通じて光ファイバ３９に光接続した可動接点４３を有する。可動接点４３は、光スイッチ制御回路２１によりポート４１とポート４２とに切り換え駆動する。光スイッチ２０の可動接点４３がポート４１に切り換え駆動した際に、光モジュール１８の光ファイバ３９が光ケーブル２２の光ファイバ２３に光接続する。光スイッチ２０の可動接点４３がポート４２に切り換え駆動した際に、光モジュール１８の光ファイバ３９が光ケーブル２５の光ファイバ２６に光接続する。
【００１８】
光ケーブル２８の光コネクタ３０は、光ケーブル２２の光コネクタ２４に着脱自在に装着している。光ケーブル２８の光コネクタ３１は、光コネクタ１５に着脱自在に装着可能である。同様に、光ケーブル３２の光コネクタ３４は、光ケーブル２５の光コネクタ２７に着脱自在に装着している。光ケーブル３２の光コネクタ３５は、光コネクタ１５に着脱自在に装着可能である。
【００１９】
モニタ収集回路１９は、光モジュール１８の光学状態を常時収集することにより状態信号を取得し、その状態信号を監視装置１７に与える。同様に、モニタ収集回路３７は、光モジュール３６の光学状態を常時収集することにより状態信号を取得し、その状態信号を監視装置１７に与える。監視装置１７は、モニタ収集回路１９から与えられた光モジュール１８の状態信号と、モニタ収集回路３７から与えられた光モジュール３６の状態信号とを常時監視している。
監視装置１７は、各状態信号の偏差があらかじめ定められた値を超えた場合に、光スイッチ制御回路２１に駆動信号を与える。その駆動信号応じて、光スイッチ制御回路２１は、光スイッチ２０の可動接点４３を、ポート４１からポート４２へ、或いは、ポート４２からポート４１へと切り換える。
【００２０】
次に、光接続方法について説明する。光スイッチ２０の可動接点４３がポート４１に接続していて、光ケーブル２８の光コネクタ３１が光コネクタ１５に光接続している通常状態において光システム１０が駆動中に、光コネクタ３１に損傷が発生した場合について説明する。その場合、モニタ収集回路１９からの状態信号の値がモニタ収集回路３７からの状態信号の値に対してあらかじめ定められた値を超える。そのため、光スイッチ制御回路２１は、光スイッチ２０の可動接点４３を、現在の接続側であるポート４１から、反対の非接続側であるポート４２へと切り換える。そのため、光接続回路の接続状態は、光スイッチ２０のポート４０→光スイッチ２０のポート４２→光ファイバ２６→光コネクタ２７→光コネクタ３４→光ファイバ３３→光コネクタ３５に切り換わる。そして、光コネクタ３５を光コネクタ１５に光接続する。これにより、光システム１０は、損傷した光コネクタ３１を介さない光接続回路を形成することになる。このとき、損傷した光コネクタ３１を有する光ケーブル２８は、損傷の補修を行った後に光コネクタ３０を光コネクタ２４に光接続して以前の状態に復帰しておく。
【００２１】
次に、光スイッチ２０の可動接点４３をポート４２へ切り換えた状態において光システム１０が駆動中に、光コネクタ３５に損傷が発生した場合について説明する。その場合、モニタ収集回路１９からの状態信号の値がモニタ収集回路３７からの状態信号の値に対してあらかじめ定められた値を超える。そのために、光スイッチ制御回路２１は、光スイッチ２０の可動接点４３を、現在の接続側であるポート４２から、反対の非接続側であるポート４１へと切り換える。そのため、光接続回路の接続状態は、光スイッチ２０のポート４０→光スイッチ２０のポート４１→光ファイバ２３→光コネクタ２４→光コネクタ３０→光ファイバ２９→光コネクタ３１に切り換わる。これにより、光システム１０は、損傷した光コネクタ３５を介さない光接続回路を形成することになる。このとき、損傷した光コネクタ３５を有する光ケーブル３２は、損傷の補修を行った後に光コネクタ３４を光コネクタ２７に光接続して以前の状態に復帰しておく。
【００２２】
続いて、光スイッチ２０の可動接点４３がポート４１に接続していて、光ケーブル２８の光コネクタ３１が光コネクタ１５に光接続している通常状態において光システム１０が駆動中に、光コネクタ３１に損傷が再度発生した場合について説明する。その場合、モニタ収集回路１９からの状態信号の値がモニタ収集回路３７からの状態信号の値に対してあらかじめ定められた値を超える。そのために、光スイッチ制御回路２１は、光スイッチ２０の可動接点４３を、現在の接続側であるポート４１から、反対の非接続側であるポート４２へと切り換える。そのため、光接続回路の接続状況は、光スイッチ２０のポート４０→光スイッチ２０のポート４２→光ファイバ２６→光コネクタ２７→光コネクタ３４→光ファイバ３３→光コネクタ３５に切り換わる。そして、光コネクタ３５を光コネクタ１５に光接続する。これにより、光システム１０は、損傷した光コネクタ３１を介さない光接続回路を形成することになる。このとき、損傷した光コネクタ３１を有する光ケーブル２８は、損傷の補修を行った後に光コネクタ３０を光コネクタ２４に光接続して以前の状態に復帰しておく。
【００２３】
ここで、監視装置１７が、モニタ収集回路１９からの状態信号の値がモニタ収集回路３７からの状態信号の値に対してあらかじめ定められた値を超えていると判断した場合を想定する。その場合、光スイッチ制御回路２１に代えて、手動により、光スイッチ２０の可動接点４３を、ポート４１からポート４２へ、或いは、ポート４２からポート４１へと切り換えてもよい。
【００２４】
以上、第１実施形態の光システム１０によれば、光コネクタ３１又は光コネクタ３５に損傷が生じても、損傷した光コネクタ３１又は光コネクタ３５を介さない光接続回路が形成される。そのため、複数回の光コネクタ損傷に対処でき、生産性を飛躍的に向上できる。
【００２５】
また、光システム１０によれば、モニタ収集回路１９、３７からの光学情報に基づいて監視装置１７が情報を処理して、光スイッチ制御回路２１が光スイッチ２０を自動的に制御することができる。このため、作業員の負担を軽減することができる。
【００２６】
また、光システム１０によれば、モニタ収集回路１９、３７からの光学情報に基づいて光スイッチ２０の可動接点４３を手動で切り換えることができる。このため、複雑な回路や機構を用いることなく、コスト面で有利である。
【００２７】
さらに、光システム１０によれば、光スイッチ制御回路２１により、光スイッチ２０の可動接点４３を、現在の接続側から、反対の非接続側へと切り換えることができる。そのために、光システム１０が自律出力停止機能を有さない場合においても光接続回路を自動的に変更することができる。
【００２８】
また、光システム１０によれば、光ケーブル２８の光コネクタ３０が光ケーブル２２の光コネクタ２４に着脱自在であるとともに光コネクタ３１が光コネクタ１５に着脱自在である。また、光ケーブル３２の光コネクタ３４が光ケーブル２５の光コネクタ２７に着脱自在であるとともに光コネクタ３５が光コネクタ１５に着脱自在である。そのために、損傷時の着脱を簡単に行うことができる。
【００２９】
また、光装置１１によれば、光コネクタ３１又は光コネクタ３５に損傷を生じたとしても、損傷した光コネクタ３１又は光コネクタ３５を介さない光接続回路を形成することができる。このため、複数回の光コネクタ損傷に対処でき、生産性を飛躍的に向上できる。
【００３０】
加えて、光接続方法によれば、光コネクタ３１又は光コネクタ３５に損傷を生じたとしても、損傷した光コネクタ３１又は光コネクタ３５を介さない光接続を行うことができる。このため、複数回の光コネクタ損傷に対処でき、生産性を飛躍的に向上できる。
【００３１】
次に、本発明の第２実施形態に係る光システム、光装置及び光接続方法について説明する。なお、以下の各実施形態において、前述した第１実施形態と重複する構成要素や機能的に同様な構成要素については、図中に同一符号あるいは相当符号を付することによって説明を簡略化あるいは省略する。
【００３２】
図２に示すように、第２実施形態の光システム５０は、分割された光装置５１と、光装置５２とを備える構成を有する。光装置５１は、光モジュール１８を有する。光装置５２は、光スイッチ２０と、光スイッチ制御回路２１と、光ケーブル２２と、光ケーブル２５と、光ケーブル２８と、光ケーブル３２とを有する。光装置５１は、光モジュール１８と、光モジュール１８に光接続した光ファイバ５３と、光ファイバ５３に光接続した光コネクタ５４を有する。光装置５２は、光スイッチ２０のポート４０に光接続した光ファイバ５５と、光ファイバ５５に光接続した光コネクタ５６を有する。光コネクタ５４は、光コネクタ５６に着脱自在に装着できる。
【００３３】
第２実施形態の光システム５０によれば、光装置５２の光コネクタ５６を光装置５１の光コネクタ５４に装着することにより光装置５２を光装置５１に簡単な作業で後付けできる。
【００３４】
次に、本発明の第３実施形態に係る光システム、光装置及び光接続方法について説明する。図３に示すように、第３実施形態の光システム６０は、光モジュール６２と、光モジュール６４との２個の光モジュールを備えた光装置６１を装備している。光モジュール６２は、モニタ収集回路６３を有する。光モジュール６４は、モニタ収集回路６５を有する。光ファイバ６７は、光モジュール６４に光接続している。この光ファイバ６７は、光スイッチ６６のポート６８に光接続している。光スイッチ６６のポート６９には、光ケーブル７０の光ファイバ７１が光接続している。光ケーブル７３は、光ファイバ７６と、光ファイバ７６の一端部に光接続した光コネクタ７４と、光ファイバ７６の他端部に光接続した光コネクタ７５とを有する。光ケーブル７０の光コネクタ７２には、光ケーブル７３の光コネクタ７４が光接続している。ポート６８は、ポート６９と光接続している。ポート６８は、ポート４２と選択的に光接続する。
【００３５】
第３実施形態の光システム６０によれば、通常時に使用しない光ケーブル７３を複数の光モジュール６２および光モジュール６４により共用できる。このため、コスト面でさらに有利である。
【００３６】
次に、本発明の第４実施形態に係る光システム、光装置及び光接続方法について説明する。図４に示すように、第４実施形態の光システム８０は、光装置８１を備える。光装置８１は、光モジュール８２と、光スイッチ８６とを備える。光モジュール８２は、モニタ収集回路８３と、ポート８４と、ポート８５とを有する。光スイッチ８６は、ポート８７と、ポート８８と、ポート８９と、ポート１０６とを有する。ポート８４は、光スイッチ８６のポート８７に光接続している。ポート８５は、光スイッチ８６のポート８８に光接続している。
【００３７】
光スイッチ８６のポート８９は、他の光装置（外部の光装置）からの信号の一方の入力側である。このポート８９に、光ファイバ９０が接続されている。光ファイバ９０は、光コネクタ９１に光接続されている。この光コネクタ９１は、光コネクタ９２に接続されている。光コネクタ９２は、光ファイバ９５に光接続されている。光ファイバ９０には、光検出器（フォトダイオード）ＰＤ９７が光接続している。
【００３８】
光スイッチ８６のポート９８は、他の光装置からの信号の他方の入力側である。このポート９８に、光ファイバ９９が接続されている。光コネクタ１００は、光ファイバ９９に光接続されている。光コネクタ１００は、光コネクタ１０１に接続されている。光コネクタ１０１は、光ファイバ１０３に光接続されている。光ファイバ９９には、光検出器ＰＤ１０５が光接続している。
【００３９】
光スイッチ８６のポート１０６は、他の光装置への信号の出力側である。このポート１０６に、光ファイバ１０７が接続されている。光コネクタ１０８は、光ファイバ１０７に光接続されている。光コネクタ１０８は、光コネクタ１０９に接続されている。光コネクタ１０９は、光ファイバ１１１に光接続されている。光ファイバ１０７には、光検出器ＰＤ１１３が光接続している。
【００４０】
光検出器ＰＤ９７、ＰＤ１０５、ＰＤ１１３は、光スイッチ制御回路１１４にそれぞれ電気的に接続している。
【００４１】
次に、光システム８０の光接続方法について説明する。図５に示すように、まず、光スイッチ制御回路１１４は、各光検出器ＰＤ９７、ＰＤ１０５、ＰＤ１１３の値をモニタし、最も大きな値を検出している光検出器を見つけ出す（Ｓ１０１）。ここで、光検出器ＰＤ９７が最も大きな値を有する場合、光スイッチ制御回路１１４は、この光検出器ＰＤ９７が接続している光スイッチ８６のポート８９を見つけ出す。そして、光スイッチ制御回路１１４により、ポート８７に接続していた光スイッチ８６のポート８９を、光モジュール８２の入力側に接続しているポート８８に光接続する（Ｓ１０２）。
【００４２】
次に、光スイッチ制御回路１１４により、ポート８９以外の他のポート９８およびポート１０６を光モジュール８２の出力側に接続しているポート８７に順番に接続する。その際、光スイッチ制御回路１１４は、それぞれのポート９８およびポート１０６に接続している光検出器ＰＤ１０５、ＰＤ１１３の値をモニタする（Ｓ１０３）。続いて、光スイッチ制御回路１１４は、光検出器ＰＤ１０５の値と光検出器ＰＤ１１３の値とを比較する（Ｓ１０４）。このとき、光検出器ＰＤ１０５の値が光検出器ＰＤ１１３の値よりも小さい場合、ポート９８と、光モジュール８２の出力側に接続しているポート８７とを接続し、ポート９８に接続している光検出器ＰＤ１０５の値をモニタする（Ｓ１０５）。一方で、光検出器ＰＤ１０５の値が光検出器ＰＤ１１３の値よりも大きい場合、ポート１０６と、光モジュール８２の出力側に接続しているポート８７とを接続し、ポート１０６に接続している光検出器ＰＤ１１３の値をモニタする（Ｓ１０６）。
【００４３】
これにより、光検出器ＰＤ１０５の値と光検出器ＰＤ１１３の値とに基づき、値が小さい方（光コネクタによるフレネル反射が無い方）から、出力信号が接続されているポートを見つけ出す。そのため、光スイッチ制御回路１１４により、ポート９８および１０６のうち他装置へ出力信号を送るポートとポート８７とを光接続することにより、光モジュール８２への入出力コネクタの接続が間違っていた場合でも、光コネクタを再接続する必要がない。
【００４４】
第４実施形態の光システム８０によれば、光モジュール８２への入出力コネクタの接続が間違っていた場合でも、光コネクタを再度接続し直すことなく、光モジュール８２を正常に動作させることが可能である。
【００４５】
本発明の光システム、光装置及び光接続方法は、前述した各実施形態に限定されず、適宜な変形や改良等が可能である。
【００４６】
この出願は、２０１２年５月１８日に出願された日本国特願２０１２−１１４０２６を基礎とする優先権を主張し、その開示の全てをここに取り込む。
【産業上の利用可能性】
【００４７】
以上述べたように、本発明の光システム、光装置及び光接続方法によれば、複数回の光コネクタ損傷に対処できることにより生産性を飛躍的に向上できる。以上の結果として、作業員への負担を飛躍的に減少できる。よって、本発明の産業上の利用可能性は高い。
【符号の説明】
【００４８】
１０  光システム
１１  光装置
１５  光コネクタ
１６  光コネクタ
１７  監視装置
１８  光モジュール
１９  モニタ収集回路
２０  光スイッチ
２１  光スイッチ制御回路
２４  光コネクタ
２７  光コネクタ
３０  光コネクタ
３１  光コネクタ
３４  光コネクタ
３５  光コネクタ
３６  光モジュール
３７  モニタ収集回路
５０  光システム
５１  光装置
５２  光装置
５４  光コネクタ
５６  光コネクタ
６０  光システム
６１  光装置
６２  光モジュール
６３  モニタ収集回路
６４  光モジュール
６５  モニタ収集回路
７２  光コネクタ
７４  光コネクタ
７５  光コネクタ
８０  光システム
８１  光装置
８２  光モジュール
８３  モニタ収集回路
８６  光スイッチ
９１  光コネクタ
９２  光コネクタ
９３  光コネクタ
１００  光コネクタ
１０１  光コネクタ
１０２  光コネクタ
１０８  光コネクタ
１０９  光コネクタ
１１０  光コネクタ
１１４  光スイッチ制御回路
ＰＤ９７  光検出器
ＰＤ１０５  光検出器
ＰＤ１１３  光検出器
【図１】
2013172072.tif 000003
【図２】
2013172072.tif 000004
【図３】
2013172072.tif 000005
【図４】
2013172072.tif 000006
【図５】
2013172072.tif 000007
【図６】
2013172072.tif 000008
【図７】
2013172072.tif 000009
【国際調査報告】
2013172072.tif 000010
2013172072.tif 000011